(57)【特許請求の範囲】
【請求項１】
便器本体へ洗浄水を供給する便器洗浄装置であって、
前記洗浄水を貯留するタンクと、
このタンクから延びて下流端を前記便器本体に連通する給水路と、
前記タンクに貯留した前記洗浄水を前記給水路に送水する送水装置とを備えており、
前記洗浄水が前記給水路の下流端から流出するように前記送水装置を駆動する便器洗浄モードと、前記洗浄水が前記給水路の下流端から流出せず、前記給水路内で往復するように前記送水装置を駆動する凍結防止モードとを有していることを特徴とする便器洗浄装置。
【請求項２】
前記給水路は、下流側に向けて上方に延びた上昇水路を有しており、前記凍結防止モードにおいて、前記洗浄水が前記上昇水路内を往復するように前記送水装置を駆動することを特徴とする請求項１記載の便器洗浄装置。
【請求項３】
前記凍結防止モードにおいて、前記給水路内の前記洗浄水又は空気が前記タンク内へ流入するように前記送水装置を駆動することを特徴とする請求項１又は２記載の便器洗浄装置。
【請求項４】
便器本体へ洗浄水を供給する便器洗浄装置であって、
前記洗浄水を貯留するタンクと、
このタンクから延びて下流端を前記便器本体に連通する給水路と、
この給水路を分岐して下流端を前記タンクに連通する分岐水路と、
この分岐水路に洗浄水が流入するように流路を切り替える切替機構と、
前記タンクに貯留した前記洗浄水を前記給水路に送水する送水装置とを備えており、
前記切替機構が流路を切り替えて、前記洗浄水が前記分岐水路に流入せず、前記給水路の下流端から流出するように前記送水装置を駆動する便器洗浄モードと、前記切替機構が流路を切り替えて、前記洗浄水が前記給水路の下流端から流出せず、前記分岐水路に流入して前記タンクに循環するように前記送水装置を駆動する凍結防止モードを有していることを特徴とする便器洗浄装置。
【請求項５】
便器本体と、請求項１乃至４のいずれか１項記載の便器洗浄装置とを備えていることを特徴とする水洗式便器。
【発明の詳細な説明】
【技術分野】
【０００１】
本発明は便器洗浄装置及び水洗式便器に関する。
【背景技術】
【０００２】
特許文献１には従来の便器洗浄装置が開示されている。この便器洗浄装置は、洗浄水を貯留するタンクと、タンクから延びて下流端を便器本体に連通する給水路と、タンクに貯留した洗浄水を給水路に送水する加圧ポンプとを備えている。この便器洗浄装置は、加圧ポンプを作動することによって、タンクに貯留した洗浄水を給水路を介して便器本体に供給することができる。便器本体は便鉢部と便鉢部の下流側に連通する便器排水路とを有している。
【０００３】
この便器洗浄装置は、便器本体の便器排水路内でサイホン現象が発生しない流量の洗浄水を給水路を介して便器本体に流すことによって、タンク内の洗浄水の凍結を防止することができる。このため、タンク内の洗浄水の凍結を防止する際の洗浄水の浪費を最小限に抑えることができるとともに、便器本体に洗浄水を流出させてもサイホン作用が生じないためサイホン作用によって生じる洗浄音の発生を防止することができる。
【先行技術文献】
【特許文献】
【０００４】
【特許文献１】特開２００８−５７２４５号公報
【発明の概要】
【発明が解決しようとする課題】
【０００５】
しかし、特許文献１の便器洗浄装置では、タンク内の洗浄水の凍結を防止するために洗浄水を給水路を介して便器本体に流出させてしまうものであるため、洗浄水の浪費を完全に無くすことができない。
【０００６】
本発明は、上記従来の実情に鑑みてなされたものであって、洗浄水を浪費せずにタンク内に貯留した洗浄水の凍結を防止することができる便器洗浄装置、及びその便器洗浄装置を備えた水洗式便器を提供することを解決すべき課題としている。
【課題を解決するための手段】
【０００７】
第１発明の便器洗浄装置は、便器本体へ洗浄水を供給する便器洗浄装置であって、
前記洗浄水を貯留するタンクと、
このタンクから延びて下流端を前記便器本体に連通する給水路と、
前記タンクに貯留した前記洗浄水を前記給水路に送水する送水装置とを備えており、
前記洗浄水が前記給水路の下流端から流出するように前記送水装置を駆動する便器洗浄モードと、前記洗浄水が前記給水路の下流端から流出せず、前記給水路内で往復するように前記送水装置を駆動する凍結防止モードとを有していることを特徴とする。
【０００８】
この便器洗浄装置は、通常、便器洗浄モードで送水装置を駆動する。送水装置を便器洗浄モードで駆動すると、便器洗浄装置は給水路の下流端に連通した便器本体にタンク内に貯留した洗浄水を供給し、便器洗浄を行うことができる。また、この便器洗浄装置は、送水装置を凍結防止モードで駆動した場合、給水路の下流端から洗浄水を流出させずに、タンク内に貯留した洗浄水が給水路内で往復することになる。これによって、タンク内及び給水路内で洗浄水が流動するため、タンク内及び給水路内の洗浄水の凍結を防止することができる。
【０００９】
したがって、第１発明の便器洗浄装置は洗浄水を浪費せずにタンク内に貯留した洗浄水の凍結を防止することができる。
【００１０】
前記給水路は、下流側に向けて上方に延びた上昇水路を有しており、前記凍結防止モードにおいて、前記洗浄水が前記上昇水路内を往復するように前記送水装置を駆動し得る。この場合、送水装置を凍結防止モードで駆動した際、洗浄水が上昇水路の上端（下流端）から下流側へ流出し難くすることができる。このため、この便器洗浄装置は洗浄水を浪費せずにタンク内に貯留した洗浄水の凍結を防止することができる。
【００１１】
前記凍結防止モードにおいて、前記給水路内の前記洗浄水又は空気が前記タンク内へ流入するように前記送水装置を駆動し得る。この場合、送水装置を凍結モードで駆動すると、給水路内の洗浄水又は空気がタンク内に流入し、タンク内の洗浄水を撹拌することができる。このため、タンク内に貯留した洗浄水の凍結を防止することができる。
【００１２】
第２発明の便器洗浄装置は、便器本体へ洗浄水を供給する便器洗浄装置であって、
前記洗浄水を貯留するタンクと、
このタンクから延びて下流端を前記便器本体に連通する給水路と、
この給水路を分岐して下流端を前記タンクに連通する分岐水路と、
この分岐水路に洗浄水が流入するように流路を切り替える切替機構と、
前記タンクに貯留した前記洗浄水を前記給水路に送水する送水装置とを備えており、
前記切替機構が流路を切り替えて、前記洗浄水が前記分岐水路に流入せず、前記給水路の下流端から流出するように前記送水装置を駆動する便器洗浄モードと、前記切替機構が流路を切り替えて、前記洗浄水が前記給水路の下流端から流出せず、前記分岐水路に流入して前記タンクに循環するように前記送水装置を駆動する凍結防止モードを有していることを特徴とする。
【００１３】
この便器洗浄装置も、通常、便器洗浄モードで送水装置を駆動する。送水装置を便器洗浄モードで駆動すると、便器洗浄装置は給水路の下流端に連通した便器本体にタンク内に貯留した洗浄水を供給し、便器洗浄を行うことができる。また、この便器洗浄装置は、送水装置を凍結防止モードで駆動した場合、給水路の下流端から洗浄水を流出させずに、タンク、給水路及び分岐水路を洗浄水が循環する。このため、タンク、給水路及び分岐水路内の洗浄水が流動し、凍結を防止することができる。
【００１４】
したがって、第２発明の便器洗浄装置も洗浄水を浪費せずにタンク内に貯留した洗浄水の凍結を防止することができる。
【００１５】
本発明の水洗式便器は、便器本体と、上記便器洗浄装置とを備えていることを特徴とする。この場合、この水洗式便器は洗浄水を浪費せずにタンク内に貯留した洗浄水の凍結を防止することができる。
【図面の簡単な説明】
【００１６】
【図１】実施例１の水洗式便器を示す概略図である。
【図２】実施例２の水洗式便器を示す概略図である。
【図３】実施例３の水洗式便器を示す概略図である。
【図４】実施例４の水洗式便器を示す概略図である。
【発明を実施するための形態】
【００１７】
第１発明の便器洗浄装置を備えた水洗式便器を具体化した実施例１及び３、第２発明の便器洗浄装置を備えた水洗式便器を具体化した実施例２及び４を図面を参照しつつ説明する。
【００１８】
＜実施例１＞
実施例１の水洗式便器は、図１に示すように、便器本体１０と、この便器本体１０へ洗浄水を供給する便器洗浄装置２０とを備えている。便器本体１０は、便鉢部１１と、便鉢部１１の下流側に連通する便器排水路１２とを有している。
【００１９】
便器洗浄装置２０は、タンク２１、給水路２２、及び送水装置２３を備えている。タンク２１は給水源に上流側を連通したタンク給水路２４から供給される洗浄水を貯留することができる。また、タンク２１は、便器本体１０の後方であって、便器本体１０の上面より低い位置に配置されている。このため、この水洗式便器はローシルエットを実現している。さらに、タンク２１は下端部に貫設した流出口２５を有している。
【００２０】
給水路２２は上流端をタンク２１の流出口２５に接続している。給水路２２はタンク２１の流出口２５から水平方向に延びた上流部２２Ａと、上流部２２Ａの下流側に連通した中間部を形成し、下流側に向けて上方に延びた上昇水路２２Ｂと、中間部である上昇水路２２Ｂの下流側に連続し、便器本体１０に連通する下流部２２Ｃとから形成されている。
【００２１】
上昇水路２２Ｂの上端部（下流端部）はタンク２１内に貯留した洗浄水の最高水位よりも上方に延びている。給水路２２の下流部は、下流端に形成した吐水口２６が便器本体１０の便鉢部１１の上部周縁に沿って洗浄水を吐水するように配置されている。このため、吐水口２６から吐水された洗浄水は、便鉢部１１の表面に沿って一方向に流れ、便鉢部１１内に旋回流を形成することができる。
【００２２】
送水装置２３は、容積型の回転ポンプを有しており、この回転ポンプの駆動制御によって、便器洗浄モード及び凍結防止モードの２種類の駆動を行うことができる。この送水装置２３は、給水路２２の上流部２２Ａと中間部を形成する上昇水路２２Ｂとの間、つまり、上昇水路２２Ｂの下端部（上流端部）に接続されている。
【００２３】
この水洗式便器では、便器洗浄装置２０の送水装置２３を便器洗浄モードで駆動すると、設定時間の間、洗浄水が給水路２２の下流方向に流れるように送水装置２３の回転ポンプが回転する。これによって、タンク２１内に貯留した洗浄水を給水路２２の下流端の吐水口２６から流出させることができる。給水路２２の下流端の吐水口２６から流出した洗浄水は、便器本体１０の便鉢部１１の上部周縁に沿って吐水され、便鉢部１１の表面に沿って一方向に流れて便鉢部１１内に旋回流を形成する。このようにして、水洗式便器は、洗浄水が便鉢部１１の表面を洗浄しつつ、汚物を便器排水路１２を経由して便器本体１０外に排出することができる。
【００２４】
また、この水洗式便器では、便器洗浄装置２０の送水装置２３を凍結防止モードで駆動すると、送水装置２３の回転ポンプの回転方向が繰り返し切り替わる。つまり、凍結防止モードで送水装置２３を駆動すると、洗浄水が給水路２２の上流部２２Ａ及び上昇水路２２Ｂ内で往復移動するように送水装置２３の回転ポンプの回転方向が繰り返し切り替わる。洗浄水が給水路２２の下流方向に流れるように送水装置２３の回転ポンプが回転する際には、洗浄水が給水路２２の下流端から流出しないように、つまり、洗浄水が上昇水路２２Ｂの上端(下流端）から下流側に流出しないように短時間で回転ポンプの回転方向が切り替わる。
【００２５】
このように、この水洗式便器では、便器洗浄装置２０の送水装置２３を凍結防止モードで駆動した場合、給水路２２の下流端から洗浄水を流出させずに、タンク２１内、及び給水路２２（上流部２２Ａ、上昇水路２２Ｂ）内で洗浄水が流動するため、タンク２１内及び給水路２２内の洗浄水の凍結を防止することができる。特に、給水路２２が上昇水路２２Ｂを有しているため、上昇水路２２Ｂの上端（下流端）から洗浄水が下流側へ流出し難くすることができる。
【００２６】
したがって、実施例１の便器洗浄装置２０を備えた水洗式便器は洗浄水を浪費せずにタンク２１内に貯留した洗浄水の凍結を防止することができる。
【００２７】
また、この水洗式便器では、便器洗浄装置２０の送水装置２３を凍結防止モードで駆動し、洗浄水が給水路２２の上流方向へ流れるように送水装置２３の回転ポンプが回転する際には、給水路２２内の洗浄水又は空気をタンク２１内へ流入させることができる。これによっても、タンク２１内の洗浄水を撹拌することができるため、タンク２１内に貯留した洗浄水の凍結を防止することができる。
【００２８】
＜実施例２＞
実施例２の水洗式便器は、図２に示すように、便器洗浄装置３０の給水路２２を分岐した分岐水路３１を有している点、流路を切り替える切替機構３２を有している点、及び送水装置３３が洗浄水を給水路２２の下流方向のみに送水する点で、実施例１の水洗式便器と相違する。他の構成は実施例１と同様であり、実施例１と同一の構成は同一の符号を付し詳細な説明を省略する。
【００２９】
分岐水路３１は給水路２２の上昇水路２２Ｂの上端部（下流端部）から分岐している。また、分岐水路３１は、下流端がタンク２１の上部に連通し、タンク２１内に上方から洗浄水を吐水することができる。切替機構３２は、分岐水路３１に設けた第１開閉弁３２Ａと、分岐部３４に近い給水路２２の下流部２２Ｃに設けた第２開閉弁３２Ｂとから構成されている。
【００３０】
この水洗式便器では、便器洗浄装置３０の送水装置３３を便器洗浄モードで駆動する際、切替機構の第１開閉弁３２Ａが閉弁し、第２開閉弁３２Ｂが開弁した状態で、設定時間の間、送水装置３３の回転ポンプが回転する。これによって、タンク２１内に貯留した洗浄水を給水路２２の下流端の吐水口２６から流出させることができる。給水路２２の下流端の吐水口２６から流出した洗浄水は、便器本体１０の便鉢部１１の上部周縁の沿って吐水され、便鉢部１１の表面に沿って一方向に流れて便鉢部１１内に旋回流を形成する。このようにして、水洗式便器は、洗浄水が便鉢部１１の表面を洗浄しつつ、汚物を便器排水路１２を経由して便器本体１０外に排出することができる。
【００３１】
また、この水洗式便器では、便器洗浄装置３０の送水装置３３を凍結防止モードで駆動する際、切替機構３２の第１開閉弁３２Ａが開弁し、第２開閉弁３２Ｂが閉弁した状態で、送水装置３３の回転ポンプが断続的に回転する。これによって、洗浄水が給水路２２の下流端の吐水口２６から流出せず、タンク２１、給水路２２の上流部２２Ａと上昇水路２２Ｂ、及び分岐水路３１を洗浄水が循環する。このため、タンク２１、給水路２２の上流部２２Ａと上昇水路２２Ｂ、及び分岐水路３１内の洗浄水が流動し、凍結を防止することができる。
【００３２】
したがって、実施例２の便器洗浄装置３０を備えた水洗式便器も洗浄水を浪費せずにタンク２１内に貯留した洗浄水の凍結を防止することができる。
【００３３】
また、上昇水路２２Ｂの上端部で分岐水路３１を分岐し、分岐部３４に近い給水路２２の下流部２２Ｃに第２開閉弁３２Ｂを設けたため、送水装置３３が凍結防止モードで駆動した際に、分岐部３４より下流側であって、第２開閉弁３２Ｂより上流側の給水路２２の下流部２２Ｃに洗浄水が滞留しない。このため、第２開閉弁３２Ｂの上流側の給水路２２の全体で洗浄水の凍結を防止することができる。
【００３４】
＜実施例３＞
実施例３の水洗式便器は、図３に示すように、便器洗浄装置４０の送水装置４１が水中ポンプであり、非容積型の遠心ポンプによって構成されている点、給水路４２がタンク４１内で送水装置４１から上方に延びている点で実施例１と相違する。他の点は実施例１と同様であり、同一の構成は同一の符号を付し、詳細な説明を省略する。
【００３５】
タンク４３は、上端が開放しており、タンク給水路２４から供給される洗浄水を貯留することができる。送水装置４１はタンク４３内であって、タンク４３の底面の近傍に配置されている。送水装置４１はタンク内に開口する吸込み口４１Ａを有している。給水路４２は、送水装置４１に接続し、下流側に向けて上方に延びた上昇水路４２Ａと、上昇水路４２Ａの下流側に連続し、便器本体１０に連通する下流部４２Ｂとから形成されている。上昇水路４２Ａはタンク内で上方に延びており、タンク４１内に貯留した洗浄水の最高水位よりも上方に延びている。
【００３６】
この水洗式便器では、便器洗浄装置４０の送水装置４１を便器洗浄モードで駆動すると、設定時間の間、送水装置４１の遠心ポンプが回転し、洗浄水が給水路４２の下流側に流れる。これによって、タンク４３内に貯留した洗浄水を送水装置４１の遠心ポンプの吸込み口４１Ａから吸込み、給水路４２の下流端の吐水口４４から流出させることができる。給水路４２の下流端の吐水口４４から流出した洗浄水は、便器本体１０の便鉢部１１の上部周縁に沿って吐水され、便鉢部１１の表面に沿って一方向に流れて便鉢部１１内に旋回流を形成する。このようにして、水洗式便器は、洗浄水が便鉢部１１の表面を洗浄しつつ、汚物を便器排水路１２を経由して便器本体１０外に排出することができる。
【００３７】
また、この水洗式便器では、便器洗浄装置４０の送水装置４１を凍結防止モードで駆動すると、送水装置４１の遠心ポンプが短時間の間の駆動と停止を繰り返す。つまり、凍結防止モードで送水装置４１を駆動すると、洗浄水が上昇水路４２Ａの上端（下流端）から下流側に流出しないように、短時間の間、送水装置４１の遠心ポンプを駆動した後、停止する。このように、送水装置４１の遠心ポンプの駆動及び停止を繰り返すことによって、洗浄水が上昇水路４２Ａ内で往復移動する。
【００３８】
このように、この水洗式便器では、便器洗浄装置４０の送水装置４１を凍結防止モードで駆動した場合、給水路４２の下流端から洗浄水を流出させずに、タンク４３内及び上昇水路４２Ａ内で洗浄水が流動するため、タンク４３内及び上昇水路４２Ａ内の洗浄水の凍結を防止することができる。特に、給水路４２が上昇水路４２Ａを有し、上昇水路４２Ａ内で洗浄水が往復移動するため、上昇水路４２Ａの上端（下流端）から洗浄水が下流側へ流出し難くすることができる。
【００３９】
したがって、実施例３の便器洗浄装置４０を備えた水洗式便器も洗浄水を浪費せずにタンク内に貯留した洗浄水の凍結を防止することができる。
【００４０】
＜実施例４＞
実施例４の水洗式便器は、図４に示すように、便器洗浄装置４０の給水路４２を分岐した分岐水路５１を有している点、及び流路を切り替える切替機構５２を有している点で、実施例３の水洗式便器と相違する。他の構成は実施例３と同様であり、実施例３と同一の構成は同一の符号を付し詳細な説明を省略する。
【００４１】
この分岐水路５１は給水路４２の上昇水路４２Ａの上端部（下流端部）から分岐している。また、分岐水路５１の下流端がタンク４３の上部に連通し、タンク４３内に上方から洗浄水を吐水することができる。切替機構５２は、分岐水路５１に設けた第１開閉弁５２Ａと、分岐部５３に近い給水路４２の下流部４２Ａに設けた第２開閉弁５２Ｂとから構成されている。
【００４２】
この水洗式便器では、便器洗浄装置５０の送水装置４１を便器洗浄モードで駆動する際、切替機構５２の第１開閉弁５２Ａが閉弁し、第２開閉弁５２Ｂが開弁した状態で、設定時間の間、送水装置４１の遠心ポンプが回転し、洗浄水が給水路４２の下流側に流れる。これによって、タンク４３内に貯留した洗浄水を送水装置４１の遠心ポンプの吸込み口４１Ａから吸込み、給水路４２の下流端の吐水口４４から流出させることができる。給水路４２の下流端の吐水口４４から流出した洗浄水は、便器本体１０の便鉢部１１の上部周縁に沿って吐水され、便鉢部１１の表面に沿って一方向に流れて便鉢部１１内に旋回流を形成する。このようにして、水洗式便器は、洗浄水が便鉢部１１の表面を洗浄しつつ、汚物を便器排水路１２を経由して便器本体１０外に排出することができる。
【００４３】
また、この水洗式便器では、便器洗浄装置５０の送水装置４１を凍結防止モードで駆動する際、切替機構５２の第１開閉弁５２Ａが開弁し、第２開閉弁５２Ｂが閉弁した状態で、送水装置４１の遠心ポンプが断続的に回転する。これによって、洗浄水が給水路４２の下流端の吐水口４４から流出せず、タンク４３、上昇水路４２Ａ、及び分岐水路５１を洗浄水が循環する。このため、タンク４３、上昇水路４２Ａ、及び分岐水路５１内の洗浄水が流動し、凍結を防止することができる。
【００４４】
したがって、実施例４の便器洗浄装置５０を備えた水洗式便器も洗浄水を浪費せずにタンク内に貯留した洗浄水の凍結を防止することができる。
【００４５】
また、上昇水路４２Ａの上端部で分岐水路５１を分岐し、分岐部５３に近い給水路５２の下流部４２Ｂに第２開閉弁５２Ｂを設けたため、送水装置４１が凍結防止モードで駆動した際に、分岐部５３より下流側であって、第２開閉弁５２Ｂより上流側の給水路５２の下流部５２Ｂに洗浄水が滞留しない。このため、第２開閉弁５２Ｂの上流側の給水路５２の全体で洗浄水の凍結を防止することができる。
【００４６】
本発明は上記記述及び図面によって説明した実施例１〜４に限定されるものではなく、例えば次のような実施例も本発明の技術的範囲に含まれる。
（１）実施例１及び２では、送水装置は容積型の回転ポンプを有しているが、容積型の往復ポンプであってもよい。また、非容積型のポンプであってもよい。
（２）実施例１〜４では、タンクを便器本体の後方であって便器本体の上面より低い位置に配置しているが、便器本体の上面より高い位置に配置してもよい。
（３）実施例１では、送水装置を凍結防止モードで駆動した際、回転ポンプの回転方向を繰り返し切り替えたが、洗浄水が給水路の下流方向に流れるように回転ポンプを一方向に断続的に回転させるだけでもよい。この場合、洗浄水が給水路の下流端から流出しないように回転ポンプの回転を短時間にしなければならない。
（４）実施例１では、送水装置を凍結防止モードで駆動した際、回転ポンプの回転方向を繰り返し切り替えたが、洗浄水が給水路の上流方向に流れるように回転ポンプを一方向に回転させるだけでもよい。
（５）実施例１及び３では、送水装置を凍結防止モードで駆動した際、洗浄水が給水路の下流端から流出しないように短時間の間、回転ポンプ又は遠心ポンプを回転させたが、回転ポンプ又は遠心ポンプの回転数を落とすことによって、洗浄水が給水路の下流端から流出しないようにしてもよい。
【符号の説明】
【００４７】
１０…便器本体
２０、３０、４０、５０…便器洗浄装置
２１、４３…タンク
２２、４２…給水路
２２Ｂ、４２Ａ…上昇水路
２３、３３、４１…送水装置
３１、５１…分岐水路
３２、５２…切替機構
【図１】
0005825711.tif 000002
【図２】
0005825711.tif 000003
【図３】
0005825711.tif 000004
【図４】
0005825711.tif 000005